(57)【特許請求の範囲】
【請求項１】
容器の口部に組付けられる手動押下げポンプのノズルヘッド(1)であって、頂壁(2)外表面の基端平面(2b)を前部(F)から後部(B)に向けて斜め下方に傾斜させ、
該基端平面(2b)上に、前部(F)近傍を除いた側部(S)近傍から後部(B)にかけての周縁部に突条部(3)を形成して中央部を囲うように、また押圧のための指先が嵌るように凹部(4)を形成し、
前記中央部から後部(B)に位置する突条部(3)部分を横断して前記凹部(4)に溜まった水を逃がすための排水溝(5)を形成したことを特徴とするノズルヘッド。
【発明の詳細な説明】
【技術分野】
【０００１】
本発明は、容器の口部に組付けられ、容器に収納された内容液を注出するための手動押下げポンプのノズルヘッドに関する。
【背景技術】
【０００２】
たとえば特許文献１には、容器の口部に組付けられ、容器に収納された内容液を注出する手動押下げポンプのノズルヘッドに係る発明が記載されている。このノズルヘッドはポンプの上端部に密嵌合して使用され、内容液を空気と攪拌して発泡化させる発泡化体を組付けたものである。
【特許文献１】特開平１０−２９６１４０号公報
【発明の開示】
【発明が解決しようとする課題】
【０００３】
上記のような手動押下げポンプを備えた注出容器では、ノズルヘッドの頂壁を指先で押圧して、ノズルヘッドを押し下げることによりポンプの作用により内容液を注出することができるが、この押下げ操作の際にはポンプ内に配設されたスプリングの反発力が指先に作用するので、スプリングの反発力に係わらず安定して押下げ操作ができるように手動押下げポンプを構成することが必要である。
【０００４】
そこで、本発明の技術的な課題は指先で押圧するノズルヘッドの押圧操作性を、特にノズルヘッドの頂壁の形状により改良すると共に、このノズルヘッドの形状を衛生的に保持できる形状とすること、にある。
【課題を解決するための手段】
【０００５】
本発明の課題を解決するための手段のうち、第１の発明の手段は、
容器の口部に組付けられる手動押下げポンプのノズルヘッドにおいて、
頂壁外表面の、中央部に押圧のための指先が嵌るように凹部を形成すると共に、この凹部から周縁にかけての部分に前記凹部に溜まった水を逃がすための排水溝を形成すること、にある。
【０００６】
第１の発明の上記構成により、凹部に指先を嵌めるように当てることにより、指先が滑ることもなく、安定した状態でノズルヘッドの押下げ操作を実施することができる。特に、一方の手が塞がっている場合には、注出容器を台上等に置いた状態でもう一方の手の親指でノズルヘッドを押し下げると共に、同じ手の、手の平に内容液を注出するような使い方をして、注出容器の固定が十分でなくなるが、親指の指先を凹部に嵌めるようにすることにより、確実にポンプの軸方向に沿って押し下げることができ、注出容器を倒すことも無く、比較的小さな力で容易に押圧操作を実施できる。
【０００７】
また、頂壁外表面に凹部を形成した場合、この部分に水が溜まり易くなり（水捌けが悪くなり）、非衛生的な印象を与えてしまうし、実際にカビが発生する等、非衛生的であるが、第１の発明において凹部から周縁にかけての部分に凹部に溜まった水を逃がすための排水溝を形成することにより、このような問題を解決することができ、衛生的に使用することができる。
【０００８】
なお、内容液の種類、容器の形状、使用方法等の態様によって押圧する指が、人差し指、あるいは親指だったりするが、凹部の形状はこれら態様に合わせて決めることができる設計的事項である。
【０００９】
第２の発明の手段は、第１の発明において、
頂壁外表面の基端平面を前部から後部に向けて斜め下方に傾斜させること、
基端平面上に、前部近傍を除いた側部近傍から後部にかけての周縁部に突条部を形成して中央部を囲うようにして凹部を形成すること、
中央部から後部に位置する突条部部分を横断して排水溝を形成すること、
にある。
【００１０】
第２の発明の上記構成は、凹部の形状、および排水溝の形成位置を具体的に示した例である。そして本第２の発明の構成により、頂壁外表面の基端平面を前部から後部に向けて斜め下方に傾斜させること、および中央部近傍から後部に位置する突条部部分を横断して排水溝を形成すること、により凹部に溜まった水をより効率的に頂壁外表面上から排出させることが可能となる。
なお、本発明ではノズルが位置する方向を前部とする。
【発明の効果】
【００１１】
本発明は上記した方法および構成となっているので、以下に示す効果を奏する。
第１の発明にあっては、凹部に指先を嵌めるようにして当てることにより、指先が滑ることもなく安定した状態でノズルヘッドの押下げ操作を実施することができると共に、排水溝を形成することによりこの凹部に溜まった水を効率的に頂壁外表面から排出することができる。特に一方の手が塞がっている場合における、片手による押下げ、注出操作も比較的小さな力で容易に安定して実施することができる。
【００１２】
第２の発明にあっては、頂壁外表面の基端平面を前部から後部に向けて斜め下方に傾斜させること、および中央部から後部に位置する突条部部分を横断して排水溝を形成すること、により凹部に溜まった水をより効率的に頂壁外表面上から排出させることが可能となる。
【発明を実施するための最良の形態】
【００１３】
以下、本発明の実施の形態を図面を参照しながら説明する。
図１〜図４は本発明のノズルヘッドの第１実施例を示すものであり、図１はこのノズルヘッド１をポンプ２１の上端部に密に嵌合した状態の部分縦断面図、図２はこのノズルヘッド１の平面図、図３は図２中のＡ−Ａ線に沿って示す縦断面図、そして図４は図２中のＢ−Ｂ線に沿って示す縦断面図である。
【００１４】
本実施例のノズルヘッド１は内容液を発泡化して注出させるためのものであり、（ノズルヘッド）本体１ａと、ノズル１１と、その構造がメッシュ状であり噴出内容液を空気と攪拌させて発泡化させる発泡化体１２の、３ケの部材から構成されている。
【００１５】
本体１ａは有頂の２重円筒状で、頂壁２から外筒１４と、内筒１３が垂下設した形状である。また上端部の前半部には、内筒１３の一部である噴出口板１６を底部として前方に向かって開放した組付け凹部１５を形成して構成され、噴出口板１６の中央には噴出口１７が開設されている。
【００１６】
ノズル１１は、単純な円筒形状をしていて、その後半部分を組付け凹部１５に密に嵌入組付けすることにより、本体１ａから前方に突出した姿勢で組付けられ、その内部に発泡化体１２が配設されている。また、このノズル１１の後半部分は、組付け凹部１５の底部である噴出口板１６の手前まで嵌入していて、ノズル１１の後端縁と噴出口板１６との間の組付け凹部１５の周壁部分の両側部、すなわち噴出口１７に近接した組付け凹部１５の周壁部分の両側部には、内筒１３と外筒１４との間に開放した一対の空気孔１８が開設されている。（図３参照）
【００１７】
次に、ノズルヘッド１の本体１ａの頂壁２外表面の基端平面２ｂは、ノズル１１の位置する前部Ｆから後部Ｂに向けて斜め下方に傾斜させて形成している。（図３参照）そして前部Ｆ近傍を除いた、側部Ｓ近傍から後部Ｂに至る周縁部（図２中の一点鎖線で示した領域）に突条部３を形成し、中央部を囲うようにして押圧の際に指先を嵌めるための凹部４を形成している。なお、この突条部３の高さは側部Ｓ近傍から前部Ｆ方向に高さを漸減させて基端平面２ｂに至る（図３参照）。
【００１８】
また、中央部から後部Ｂに位置する突条部３部分を横断するようにして排水溝５を、その底部が傾斜した基端平面２ｂに沿うようにして形成している。たとえば洗面所や風呂場等で使用した場合には指当てのために形成した凹部２に水が溜まりやすく、見た目も悪く、衛生上の問題もあるが、この排水溝５により凹部２に溜まった水を自然に排出させることができる。
【００１９】
そして、ノズルヘッド１をポンプ２１の上端部に密に嵌合し、さらにポンプ２１を組付キャップ２２で容器２４の口部に螺合組付けした状態（図１参照）で、このノズルヘッド１を、凹部２に指先を嵌めるように当てて押し下げると、ポンプ２１の作用により内容液が噴出口１７から勢い良く噴出し、この内容液の噴出動作により、空気が内筒１３と外筒１４との間の空間を通って空気孔１８から組付け凹部１５内に左右均等に吸引された状態で導入され、内容液と一緒に発泡化体１２を通過して、発泡化した内容液が注出される。
【００２０】
図５は本発明の第２実施例のノズルヘッド１を有する手動押下げタイプのポンプ２１を壜体２４に取り付けた注出容器の使用態様の代表的な一例を示す説明図である。これは注出容器を台上等に置いた状態で、片方の手Ｈ（図５では右手）の人指し指と中指でノズルヘッド１の外筒１４を挟んで、親指を頂壁２の凹部４に嵌めるようにして押し当て、このノズルヘッド１を押し下げると共に、同じ手の手の平に内容液を注出するやり方であり、例えば幼児を片手で抱っこしながらもう一方の手で洗髪する場合等、一方の手が塞がっている場合、大変便利な注出方法である。
【００２１】
そして、このような注出方法の場合には、注出容器の固定が十分でないので、親指での押下げの方向がずれ易く、押圧操作に大きな力を要したり、さらには注出容器を倒してしまう等の問題があった。そこで、上記したように頂壁２に凹部４を形成することにより、親指を特に意識することなく頂壁２の中央部に誘導することができると共に、親指の指先をこの凹部４に嵌めるようにして安定して中央部に位置させて、押下げることができるようになった。すなわち、親指で確実にポンプの軸方向に沿って押し下げることができるので注出容器を倒すことも無く、比較的小さな力で容易に押圧操作を実施できるようになった。
【００２２】
以上、本発明の実施の形態を実施例に沿って説明したが、本発明の実施の態様はこれら実施例に限定されるものではない。たとえば第１実施例では内容液を発泡化させて注出するタイプのノズルヘッドについて説明したが、本発明のノズルヘッドの頂壁の形状に係る作用効果は、勿論のことではあるが、他にも例えば液状のシャンプー、洗剤等を注出するノズルヘッド、内容液を霧状に噴霧させるノズルヘッド等、さまざまバリエーションのノズルヘッドにおいて一般的に発揮されるものである。また、排水溝は複数本設けることもできるし、ノズルヘッド本体とノズルを一体成形したものとすることもできる。
【産業上の利用可能性】
【００２３】
以上説明したように、本発明のノズルヘッドは頂壁に形成した凹部に指を当てて、片手による押下げ、注出操作も比較的小さな力で容易に安定して実施することができると共に、頂壁における水の溜まりを防ぐことができ、手動ポンプと組み合わせて幅広い用途に展開することができる。
【図面の簡単な説明】
【００２４】
【図１】本発明のノズルヘッドの第１実施例をポンプに取り付けた状態を示す部分縦断側面図である。
【図２】図１のノズルヘッドの平面図である。
【図３】図２中のＡ−Ａ線に沿って示す縦断面図である。
【図４】図２中のＢ−Ｂ線に沿って示す縦断面図である。
【図５】本発明のノズルヘッドの第２実施例を有する手動押下げタイプのポンプを壜体に取り付けた注出容器の使用態様の一例を示す説明図である。
【符号の説明】
【００２５】
１  ；ノズルヘッド
１ａ；本体
２  ；頂壁
２ｂ；（頂壁）基端平面
３  ；突条部
４  ；凹部
５  ；排水溝
１１；ノズル
１２；発泡化体
１３；内筒
１４；外筒
１５；組付け凹部
１６；噴出口板
１７；噴出口
１８；空気孔
２１；ポンプ
２２；組付けキャップ
２４；壜体
Ｆ  ；前部
Ｂ  ：後部
Ｓ  ；側部
Ｈ  ；手
【図１】
0004775793.tif 000002
【図２】
0004775793.tif 000003
【図３】
0004775793.tif 000004
【図４】
0004775793.tif 000005
【図５】
0004775793.tif 000006